(57)【要約】      （修正有）【課題】小型軽量化して操作性を改善すると共に、適温の湯を簡単に素早く供給できる自動車に積載する温水供給装置を提供する。【解決手段】自動車のエンジン１４からラジエータ１６に送られる冷却水を熱交換タンク１８側に送る。バルブコントローラにより、熱交換タンク１８内部の水温を測定しながら、設定温度になるまで加熱制御する。熱交換タンク１８から供給される水と混ぜ合わせるための水を給水タンク２６に蓄積する。混合水栓３４は、熱交換タンク１８と給水タンク２６から供給される水を混合してシャワーノズル３８に供給する。給水温コントローラは、熱交換タンク１８内の水を給水タンク２６内に送り給水タンク２６内部の水の温度をシャワーの湯温調整に適する所定の設定温度に制御する。【選択図】図１
0003197963.tif 000002
【実用新案登録請求の範囲】
【請求項１】
設定温度にまで水を加熱して蓄積する熱交換タンクと、
自動車のエンジンからラジエータに送られる冷却水の全部または一部を上記熱交換タンク側に送るように水路を制御するバルブ装置と、
熱交換タンク内部の水温を測定しながら、上記バルブ装置を制御して、熱交換タンク内部の水を設定温度になるまで加熱制御するバルブコントローラと、
熱交換タンクから供給される水と混ぜ合わせるための水を蓄積した給水タンクと、
熱交換タンクと給水タンクから供給される水を混合してシャワーノズルに供給する混合水栓と、
シャワーノズルに供給する水を加圧する加圧ポンプと、
熱交換タンク内の水を給水タンク内に送り込む送水ポンプと、
給水タンクの水温を監視しながら、自動的に上記送水ポンプを起動して、給水タンク内部の水の温度をシャワーの湯温調整に適する所定の設定温度に制御する給水温コントローラとを備えたことを特徴とする自動車に積載する温水供給装置。
【請求項２】
バルブコントローラは、自動車の移動時に、熱交換タンク内部の水を設定温度になるまで加熱制御し、給水温コントローラは、自動車の移動時に、上記送水ポンプを起動して、給水タンク内部の水の温度をシャワーの湯温調整に適する所定の設定温度に制御することを特徴とする請求項１に記載の自動車に積載する温水供給装置。
【請求項３】
熱交換タンク中の水は、ラジエータの水温より低く、摂氏８０度以下であって、シャワーのための水温よりも高い温度に設定し、給水タンク中の水は、シャワーのための水温よりも低く、室温よりも高い温度に設定することを特徴とする請求項１または２に記載の自動車に積載する温水供給装置。
【請求項４】
給水温コントローラは、上記送水ポンプを起動して、熱交換タンクから給水タンクに水を供給して、給水タンク内部の水の温度を夜間凍結防止温度まで上昇させるよう制御することを特徴とする請求項１に記載の自動車に積載する温水供給装置。
【考案の詳細な説明】
【技術分野】
【０００１】
本考案は、自動車の廃熱によりシャワー等に使用する適温の湯を供給するための装置自動車に積載する温水供給装置に関する。
【背景技術】
【０００２】
例えば、ペットのトリミングをしてからシャワーをすることができる移動式のサービスカーが知られている（特許文献１）。この車には、シャワー用のガス湯沸かし機が設置される。この例では、ガスボンベを熱源としているが、電熱器を使用することもできる。熱源としては、このほかに、自動車の廃熱を利用して暖房や発電等に利用する技術が知られている（特許文献２）。
【先行技術文献】
【特許文献】
【０００３】
【特許文献１】特許４７７６７４１号
【特許文献２】特開２００６−１２１９９２号
【考案の概要】
【考案が解決しようとする課題】
【０００４】
既知の従来の技術には、次のような解決すべき課題があった。
既知の温水供給装置で、ガスボンベや電気を使用すれば、即時に十分な給湯をする能力がある。しかしながら、ガスボンベは重量があり、かつ、安全管理が容易でない。電気を使用するのが安全だが、大容量の電源を必要とする。しかも、いずれも装置が大型化するという問題がある。
上記の課題を解決するために、本考案は次のような自動車に積載する温水供給装置を提供することを目的とする。
（１）温水供給装置を小型軽量化し、操作性を改善する。
（２）適温の湯を簡単に素早く供給できるものにする。
【課題を解決するための手段】
【０００５】
以下の構成はそれぞれ上記の課題を解決するための手段である。
【０００６】
＜構成１＞
設定温度にまで水を加熱して蓄積する熱交換タンクと、
自動車のエンジンからラジエータに送られる冷却水の全部または一部を上記熱交換タンク側に送るように水路を制御するバルブ装置と、
熱交換タンク内部の水温を測定しながら、上記バルブ装置を制御して、熱交換タンク内部の水を設定温度になるまで加熱制御するバルブコントローラと、
熱交換タンクから供給される水と混ぜ合わせるための水を蓄積した給水タンクと、
熱交換タンクと給水タンクから供給される水を混合してシャワーノズルに供給する混合水栓と、
シャワーノズルに供給する水を加圧する加圧ポンプと、
熱交換タンク内の水を給水タンク内に送り込む送水ポンプと、
給水タンクの水温を監視しながら、自動的に上記送水ポンプを起動して、給水タンク内部の水の温度をシャワーの湯温調整に適する所定の設定温度に制御する給水温コントローラとを備えたことを特徴とする自動車に積載する温水供給装置。
【０００７】
＜構成２＞
バルブコントローラは、自動車の移動時に、熱交換タンク内部の水を設定温度になるまで加熱制御し、給水温コントローラは、自動車の移動時に、上記送水ポンプを起動して、給水タンク内部の水の温度をシャワーの湯温調整に適する所定の設定温度に制御することを特徴とする構成１に記載の自動車に積載する温水供給装置。
【０００８】
＜構成３＞
熱交換タンク中の水は、ラジエータの水温より低く、摂氏８０度以下であって、シャワーのための水温よりも高い温度に設定し、給水タンク中の水は、シャワーのための水温よりも低く、室温よりも高い温度に設定することを特徴とする構成１または２に記載の自動車に積載する温水供給装置。
【０００９】
＜構成４＞
給水温コントローラは、上記送水ポンプを起動して、熱交換タンクから給水タンクに水を供給して、給水タンク内部の水の温度を夜間凍結防止温度まで上昇させるよう制御することを特徴とする構成１に記載の自動車に積載する温水供給装置。
【考案の効果】
【００１０】
＜構成１の効果＞
自動車の移動のための短時間の走行で、エンジンの廃熱により湯が沸かせる。ガスや電気を使用しないので、燃料費を低減できる。熱交換タンクと給水タンクの水温を適温に保持しておくことで、自由にシャワー湯温を調整できる。一日の作業終了時に熱交換タンクと給水タンクの水を混ぜておくと、冬期も湯槽や配管の凍結を防止できる。
＜構成２の効果＞
自動車の移動時の廃熱をラジエータを介して取り込んで、熱交換タンクと給水タンクの水温を適温に調整するよう制御すると、移動先ですぐに最適な状態でシャワーを使用できる。
＜構成３の効果＞
熱交換タンクの水温はラジエータの水温に依存する。シャワーを使用するには、低い温度の水を加えなければならない。混合栓で調整できる範囲で、適当な温度の水をただちに得られるように、給水タンク中の水の温度を設定しておくと、作業性がよい。
＜構成４の効果＞
一日の仕事が終わって、帰宅途上で熱交換タンク中の水を給水タンクに供給して、給水タンクの水温を凍結防止温度にまで上げておく。これにより、配管等の内部の水の凍結を防止できる。
【図面の簡単な説明】
【００１１】
【図１】実施例１の温水供給装置を示す主要部分解斜視図である。
【図２】温水供給装置を搭載する自動車の例の斜視図である。
【図３】温水供給装置の給水制御用機能ブロック図である。
【図４】熱交換タンク１８の温度変化を示すグラフである。
【図５】給水タンク２６の温度制御結果を示すグラフである。
【考案を実施するための形態】
【００１２】
以下、本考案の実施の形態を実施例毎に詳細に説明する。
【実施例１】
【００１３】
図１は実施例１の温水供給装置を示す主要部分解斜視図である。図２は、温水供給装置を搭載する自動車の例の斜視図である。
この温水供給装置は、図２に示すような自動車に搭載して、例えば、ペットのトリミング用の巡回サービスに使用する。トリミングの際には、シャワーを使用する。このシャワーの温水を準備するために、自動車に温水供給装置を搭載しておく。
【００１４】
例えば、図のような浴槽１０の中にペットを収容して、トリミングやシャワーの作業をする。温水供給装置は、熱交換タンク１８と給水タンク２６とを備える。熱交換タンク１８は、設定温度にまで水を加熱して蓄積する装置である。自動車１２（図２）のエンジン１４からラジエータ１６に送られる冷却水の全部あるいは一部を、バルブ装置２２通じて受け入れる。ラジエータ１６とよく似た構造の熱交換器１９を熱交換タンク１８の内部の水中に沈めて、水を加熱する。
【００１５】
給水タンク２６は、熱交換タンク１８から供給される水と混ぜ合わせるための水を蓄積するためのものである。熱交換タンク１８と給水タンク２６から供給される水を混合水栓３４で混合して、シャワーノズル３８に供給する。
【００１６】
シャワーノズル３８にはある程度の水圧を加えることが必要なため、加圧ポンプ３６が設けられている。また、給水タンク２６の内部の水の温度を適温に制御するために、熱交換タンク１８内の水を給水タンク２６内に送り込む送水ポンプ２８が設けられている。
【００１７】
これだけの機材が図２に示したような軽トラックの中に搭載されるので、全体として小型軽量化が望まれる。熱交換タンク１８は熱交換器１９を収容するのでステンレス等を使用することが望ましい。熱交換タンク１８の水は給水タンク２６中の水と混ぜ合わせて使用するので、熱交換タンク１８自体の容量は少なくてよい。給水タンク２６は十分な量の水を収容することが好ましい。給水タンク２６が収容する水の温度はさほど高くないので、プラスチック容器等でもよく、全体を軽量化できる。
【００１８】
図３は温水供給装置の給水制御用機能ブロック図である。
この図に示したバルブコントローラ２４が、熱交換タンク１８の内部の水温を温度センサ２０を使用して測定しながら、バルブ装置２２を制御して、熱交換タンク１８内部の水を設定温度になるまで加熱制御する。給水温コントローラ３２は、給水タンク２６の水温を温度センサ３０で監視しながら、自動的に上記送水ポンプを起動して、給水タンク２６内部の水の温度をシャワーの湯温調整に適する温度に制御する。
【００１９】
例えば、自動車１２（図２）を２０分間運転すると、熱交換タンク１８中の摂氏５度の４０リットルの水を摂氏７０度にすることができる。さらに、その水を熱交換タンク１８から給水タンク２６に供給して、給水タンク２６の水温を摂氏２０度にしておく。これにより、熱交換タンク１８の水と給水タンク２６の水とを混合水栓３４で混ぜ合わせて、摂氏３５度のシャワーを使用できる。
【００２０】
一頭のペット犬のトリミングとシャンプーには約２０リットルの水を使用する。１００リットル程度の容量の給水タンク２６を準備すれば、数頭のペット犬のトリミングに十分な湯量を確保できる。また、その後熱交換タンク１８と給水タンク２６の水を補充して少し車を移動させる間に再び熱交換タンク１８中の水を摂氏７０度にすることができる。また、熱交換タンク１８の水を給水タンク２６に送って、その水温を摂氏２０度に保つことができる。
【００２１】
図４は、熱交換タンク１８の温度変化を示すグラフである。
図のように、自動車を移動させるときに、熱交換タンク１８中の水温を摂氏７０度まで上昇させる。そして、停車中にその水を使用して、例えば、摂氏５０度程度まで温度が低下した頃に、次の場所に移動する。その移動中に、再び熱交換タンク１８中の水温を摂氏７０度まで上昇させる。同時に給水タンク２６の温度調節をしておけば、目的地に到着後すぐにシャワーを使用した作業ができる。このようにして、温水供給装置を利用することができる。
【００２２】
以上のように、エンジン１４の廃熱で熱交換タンク１８中の水を加熱し、熱交換タンク１８中の水を給水タンク２６に送って適温に調整した状態で、熱交換タンク１８中の水と、給水タンク２６中の水を混合栓で混ぜ合わせてシャワーノズル３８に供給すれば、常に適当な温度のお湯を速やかに供給する設備が実現できる。
【００２３】
熱源がエンジン１４の冷却水だから、ガスボンベや発電機、あるいは大容量の電池等を搭載した場合と比べて、自動車１２の総重量を軽くすることができ、設備の占める大きなスペースも不要になる。さらに、自動車１２の廃熱を利用するので、熱源のコストも大幅に節約できる。
【００２４】
図５は、給水タンク２６の温度制御結果を示すグラフである。
上記のように、シャワーを使用する直前には、給水タンク２６の内部の温度を摂氏２０度程度にまで上げておく。これが実線の温度曲線である。一方、一日の仕事が終わって、帰宅途上で熱交換タンク１８中の水を摂氏７０度まで加熱し、そのお湯を熱交換タンク１８から給水タンク２６に供給して、給水タンク２６の水温を摂氏４０度程度にしておく。これにより、翌朝まで熱交換タンク１８も給水タンク２６も水温が摂氏０度以下になることがなく、配管等の内部の水の凍結を防止できる。これが破線の温度曲線である。
【００２５】
なお、熱交換タンク１８と給水タンク２６の設定温度は以下のようにして決めるとよい。
熱交換タンク１８中の水を、ラジエータ１６の冷却水を受け入れて加熱し、設定温度になったら、エンジン１４の冷却水をラジエータ１６に環流させるので、この設定温度は、ラジエータ１６の水温より低く、しかも、エンジン１４の性能に悪影響を及ぼすようであってはならない。従って、摂氏８０度以下で、安全をみて摂氏７０度程度に設定することが好ましい。
【００２６】
また、熱交換タンク１８中の水は給水タンク２６中の水と混ぜ合わせてシャワーに使用するので、シャワーのための水温よりも十分に高い温度に設定することが必要である。
一方、給水タンク２６中の水は、熱交換タンク１８中の水の温度を下げるためのものなので、シャワーのための水温よりも低い温度に設定することが必要である。しかも、混合栓による調整が可能な範囲で適温になるような温度にすべきことから、室温よりも少し高い摂氏２０度程度が適温と言える。
【００２７】
以上説明した温水供給装置は、訪問介護用の介護カーや、キャンピングカー等にも広く利用できる。また、一定の場所に固定して長時間使用されるというよりも、短時間で次の場所に移動するような用い方がされる場合に、移動中に湯を沸かすことができ、しかも特別に燃料を必要としないので、経済的で効率的な温水供給装置を実現できる。
【符号の説明】
【００２８】
１０  浴槽
１２  自動車
１４  エンジン
１６  ラジエータ
１８  熱交換タンク
１９  熱交換器
２０  温度センサ
２２  バルブ装置
２４  バルブコントローラ
２６  給水タンク
２８  給水ポンプ
３０  温度センサ
３２  給水温コントローラ
３４  混合水栓
３６  加圧ポンプ
３８  シャワーノズル
【図１】
0003197963.tif 000003
【図２】
0003197963.tif 000004
【図３】
0003197963.tif 000005
【図４】
0003197963.tif 000006
【図５】
0003197963.tif 000007